(57)【要約】本発明は、ネットワークに接続され、ネットワーク接続を介して、遠隔サーバまたはローカルレンダリングデバイスと連絡をとる、ユーザのハンドヘルドデバイス等の制御デバイスによって、遠隔サーバの画像ソースおよび／またはローカルレンダリングデバイス上の記憶媒体から生じる画像ディスプレイおよび／またはユーザインターフェースの画像のディスプレイを操作するための方法であって、操作命令を受信するステップと、操作命令を処理するステップと、画像情報を送信するステップと、を含む、方法に関する。
2013526232.tif 000002
【特許請求の範囲】
【請求項１】
ネットワークに接続され、ネットワーク接続を介して、遠隔サーバまたはローカルレンダリングデバイスと連絡をとる、ユーザのハンドヘルドデバイス等の制御デバイスによって、遠隔サーバの画像ソースおよび／またはローカルレンダリングデバイス上の記憶媒体から生じる画像ディスプレイおよび／またはユーザインターフェースの画像のディスプレイを操作するための方法であって、
前記遠隔サーバまたは前記ローカルレンダリングデバイスが、前記制御デバイスによって、前記方法を実行するために好適な操作ソフトウェアが提供される、前記制御デバイスから、操作命令を受信するステップと、
中央サーバおよび／または前記ローカルレンダリングデバイス上で前記操作命令を処理するステップと、
ＴＶまたはモニタ等のディスプレイデバイス上に、最終ディスプレイのための前記画像および／または前記ユーザインターフェースを表示する目的のために、前記中央サーバおよび／または前記ローカルレンダリングデバイスから画像情報を送信するステップと
を含む、方法。
【請求項２】
前記入力操作命令に基づいて、ＭＰＥＧ動作等のビデオコーデック動作を生成するステップであって、前記ＭＰＥＧ動作は、前記画像ディスプレイのために使用される、ステップを含む、請求項１に記載の方法。
【請求項３】
前記操作命令に基づいて、前記ユーザインターフェースのディスプレイを変更するステップを含む、請求項１または２に記載の方法。
【請求項４】
変位効果および／またはズーム効果を実現するための移動ベクトルおよび／または並進ベクトルの適用等、ビデオコーデック内で動作可能である、画像処理動作を含む、請求項１〜３のうちの１つ以上に記載の方法。
【請求項５】
インターエンコーディングおよびイントラエンコーディングを適用する間の前記制御デバイスからの制御命令に基づく画像処理動作を含む、請求項１〜４のうちの１つ以上に記載の方法。
【請求項６】
前記操作命令は、スクロール命令またはスライド命令のためのスライディング移動、ズーム命令のためのズームインおよびズームアウト移動等、タッチスクリーンによって入力される、命令を含み、前記命令は、好ましくは、マルチタッチ命令によって生成される、請求項１〜５のうちの１つ以上に記載の方法。
【請求項７】
前記命令は、前記制御デバイスを移動させることによって生成され、これらの移動は、前記制御デバイス内に配設される、移動検出器または重力検出器によって、記録することができる、請求項１〜６のうちの１つ以上に記載の方法。
【請求項８】
前記命令は、テキスト入力、発話入力、および／または画像入力を含む、請求項１〜７のうちの１つ以上に記載の方法。
【請求項９】
前記中央サーバおよび／または前記ローカルレンダリングデバイスを手動で対合するステップを含む、請求項１〜８のうちの１つ以上に記載の方法。
【請求項１０】
前記中央サーバおよび／または前記ローカルレンダリングデバイスが、前記制御デバイス内のその入力のために、コードを前記スクリーンに送信するステップと、前記コードの入力を検証することができることに基づいて、前記制御デバイスから、情報を受信するステップと、を含む、請求項９に記載の方法。
【請求項１１】
前記制御デバイスへの入力は、テキスト入力、ジェスチャ、動き、発話、および／または画像入力によって実行することができる、請求項９または１０に記載の方法。
【請求項１２】
ユーザインターフェース内のアイテムを選択する、および／または前記選択されたアイテムをアクティブ化するための命令を含み、好ましくは、前記画像内の選択されたアイテムの拡大のための命令をさらに含む、請求項１〜１１のうちの１つ以上に記載の方法。
【請求項１３】
拡大の間、より高い解像度を伴う画像情報が、データ記憶から読み出される一方、ズームレンダリングは、前記ユーザインターフェース内で既に利用可能な小画像情報に基づいて、実行される、請求項１２に記載の方法。
【請求項１４】
前記ズームレンダリングの実行の間、比較的に高品質レンダリングは、前記小画像情報に基づいて、前記ズームレンダリングの代わりに、利用可能になるとすぐに表示される、読み出された高解像度情報に基づいて、実行される、請求項１３に記載の方法。
【請求項１５】
請求項１〜１４のうちの１つ以上に記載の方法における適用のために好適なハンドヘルドデバイス等、ネットワークに接続されたデバイス等の制御デバイスであって、
操作命令を生成する目的のために、操作ソフトウェアを実行するためのコンピュータデバイスを形成するように手動で接続される、中央処理ユニットと、少なくとも１つのメモリと、好ましくは、タッチスクリーンおよび／または動きセンサと、
前記画像ディスプレイおよび／またはユーザインターフェースを操作する目的のために、前記制御デバイスによる操作命令の生成のための操作ソフトウェアと、
前記ネットワーク接続を介して、前記制御デバイスから、前記中央サーバに、および／またはローカルレンダリングデバイスから、中央サーバおよび／またはローカルレンダリングデバイスに、ネットワークによって、前記操作命令を転送するための伝送手段と
を含む、デバイス。
【請求項１６】
クライアントデバイスに接続可能なスクリーン上に、少なくとも１つのサーバから、前記セッションを表示するための複数のクライアントデバイスの少なくとも１つのクライアントデバイスに、いくつかの並行ユーザセッションをストリーミングするための中央サーバであって、前記セッションは、ビデオデータおよびオーディオデータ等の随意の付加的データを含み、前記中央サーバは、ネットワーク接続から前記命令を受信するための受信手段を含み、前記中央サーバは、テキスト入力、ジェスチャ、動き、発話、および／または画像入力を含む、命令を処理するための処理手段を含む、サーバ。
【請求項１７】
スクリーン上に、ユーザセッションおよび／またはビデオ情報を表示するためのビデオレコーダ、コンピュータ、メディアプレーヤ等のローカルレンダリングデバイスであって、前記メディアプレーヤは、ネットワーク接続から前記命令を受信するための受信手段を含み、前記中央サーバは、テキスト入力、ジェスチャ、動き、発話、および／または画像入力を含む、命令を処理するための処理手段を含む、デバイス。
【請求項１８】
クライアントデバイスに接続可能なスクリーン上に、前記セッションを表示するために、少なくとも１つのサーバから、複数のクライアントデバイスの少なくとも１つのクライアントデバイスに、いくつかの並行ユーザセッションをストリーミングするためのシステムであって、前記セッションは、ビデオデータおよびオーディオデータ等の随意の付加的データを含み、前記中央サーバは、ネットワーク接続によって、複数の制御デバイスから、個別のクライアント上に、ディスプレイに関連する命令を受信するための受信手段を含み、前記中央サーバは、テキスト入力、ジェスチャ、動き、発話、および／または画像入力を含む、命令を処理するための処理手段を含む、システム。
【請求項１９】
請求項１〜１８のうちの１つ以上に記載の方法を実行するため、および／または請求項１〜１８のうちの１つ以上に従う、中央サーバ、ローカルレンダリングデバイス、制御デバイス、および／またはシステムにおける使用のためのコンピュータソフトウェア。
【発明の詳細な説明】
【技術分野】
【０００１】
本発明は、ネットワークに接続され、ネットワーク接続を介して、遠隔サーバまたはローカルレンダリングデバイスと連絡をとる、ユーザのハンドヘルドデバイス等の制御デバイスによって、遠隔サーバの画像ソースおよび／またはローカルレンダリングデバイス上の記憶媒体から生じる画像ディスプレイおよび／またはユーザインターフェースの画像のディスプレイを操作するための方法に関する。本発明はまた、そのような方法における適用に好適なハンドヘルドデバイス等、ネットワークに接続されるデバイス等の制御デバイスに関する。本発明はまた、中央サーバ、ローカルレンダリングデバイス、およびシステムに関する。本発明はさらに、そのような方法を実行するためのコンピュータソフトウェアに関する。
【背景技術】
【０００２】
本書と同一出願人の特許文献１から、例えば、ビデオコーデックに基づいて、複数の個々のビデオストリームによって、画像情報をローカルユーザに提供するためのシステムは、周知である。本目的のために、画像は、どの個々のビデオストリームが、中央サーバ内で生成されるかに基づいて、中央サーバ上で実行される、例えば、複数の個々のアプリケーションに基づいて、生成される。本特許出願はまた、本一般的原理のいくつかのさらなる最適化を含む。本特許出願はまた、本一般的原理のいくつかの最適化を備える。本特許出願の内容は、本出願の本文の個々の側面と組み合わせて、本先願の全個々の側面の組み合わせられた開示を提供する目的のために、参照として、本文に含まれると見なされる。
【先行技術文献】
【特許文献】
【０００３】
【特許文献１】国際公開第２００８／０４４９１６号
【発明の概要】
【課題を解決するための手段】
【０００４】
前述の出願第’９１６号のシステムでは、セットトップボックスのネットワーク接続を介して、中央サーバに提供される、命令を直接セットトップボックスに提供するための標準的セットトップボックスにおいて周知のような遠隔制御が使用される。そのような遠隔制御は、ユーザインターフェースの動作に関して、多数の制限を有する。
【０００５】
ユーザインターフェースの動作に改良を提供するために、本発明は、ネットワークに接続され、ネットワーク接続を介して、遠隔サーバまたはローカルレンダリングデバイスと連絡をとる、ユーザのハンドヘルドデバイス等の制御デバイスによって、遠隔サーバの画像ソースおよび／またはローカルレンダリングデバイス上の記憶媒体から生じる画像ディスプレイおよび／またはユーザインターフェースの画像のディスプレイを操作するための方法であって、
−遠隔サーバまたはローカルレンダリングデバイスが、制御デバイスによる方法の実行のために好適な操作ソフトウェアが提供される、制御デバイスから、操作命令を受信するステップと、
−中央サーバおよび／またはローカルレンダリングデバイス上で操作命令を処理するステップと、
−ＴＶまたはモニタ等のディスプレイデバイス上に、最終ディスプレイのための画像および／またはユーザインターフェースを表示する目的のために、中央サーバおよび／またはローカルレンダリングデバイスから画像情報を送信するステップと、
を備える、方法を提供する。
【０００６】
本発明による方法の利点は、命令が、ネットワーク接続を介して、制御デバイスから受信することができることである。これによって、汎用コンピュータデバイス等の制御デバイスのような比較的に高度なデバイスを使用可能となる。そのような汎用コンピュータデバイスは、タッチスクリーン、動き検出器等、比較的に豊富なユーザのための入力選択肢を有する。本発明によって、前述の国際特許出願に従って、そのような比較的に豊富な入力選択肢をシステムのユーザに提供することが可能となる。さらに、そのような比較的に豊富な入力選択肢をビデオレコーダ、コンピュータ、メディアプレーヤ等のローカルレンダリングデバイスのユーザに提供することが可能となる。そのようなレンダリングデバイスは、本目的のために、命令を受信するためのネットワーク接続が提供されていなければならない。代替として、例えば、赤外線接続またはケーブルによって、周知の遠隔制御と同様に、直接手動接続を提供することが可能である。
【０００７】
さらに、より豊富な入力選択肢によって、ゲーム、チャット等、多数の双方向アプリケーションの利用が可能となる。
【０００８】
第１の好ましい実施形態によると、本発明による方法は、入力操作命令に基づいて、ＭＰＥＧ動作等のビデオコーデック動作を生成するステップであって、ＭＰＥＧ動作は、画像ディスプレイのために使用される、ステップを備える。公開第’９１６号に説明されるようなビデオ処理動作と組み合わせて、それに基づいて、ビデオコーデック動作を実行する目的のために、命令を適用可能である。動作は、これによって、制御デバイスの比較的に豊富なユーザインターフェースに基づいて、可能となる。その実施例は、例えば、マルチタッチ入力またはジェスチャの入力に基づいて行うことができる、ズーム動作である。
【０００９】
さらに好ましい実施形態では、方法は、操作命令に基づいて、ユーザインターフェースのディスプレイを変更するステップを備える。これによって、例えば、メニュー構造を通して、ナビゲートすることが可能である。例えば、タッチスクリーン上でスワイプ移動を行うことによって、２つのメニュースクリーン間を切り替えることが可能である。しかしながら、また、サブメニューアイテムを選択およびアクティブ化し、それによって、さらなるメニューページに切り替えることが可能である。
【００１０】
方法は、より好ましくは、変位効果および／またはズーム効果を実現するための移動ベクトルおよび／または並進ベクトルの適用等、ビデオコーデック内で動作可能である、画像処理動作を備える。これによって、有利には、例えば、複数の小ディスプレイの１つを選択し、続いて、これをフルスクリーンに拡大することが可能となる。これをインターネット上でのフォトページの使用と比較する。ユーザが、マウスによって、これらの画像の１つを選択する場合、これは、スクリーン上で拡大されて示される。本発明によって、例えば、ユーザインターフェース内に、９つの写真または動画画像を示すことが可能であって、ユーザは、そのうちの１つを選択し、次いで、拡大して示される。さらに、ここでは、ズーム動作によって、既に利用可能な比較的に小画像から開始して、平滑移動において、画像を徐々に拡大することが可能である。次いで、高解像度のより大きな画像が、背景データ記憶から利用可能な時、画像が、高品質で確実に示される。そのような状況は、画像が、クリック直後に拡大されるように、ユーザに思わせるように同期が取られ、それによって、より高解像度を伴う背景画像の読み出し遅延がないように思わせることができる。
【００１１】
制御デバイスからの操作命令に基づく、そのような画像処理動作では、より好ましくは、インターエンコーディングおよびイントラエンコーディングが利用される。これによって、第’９１６号から周知の画像処理動作を適用することができる。
【００１２】
好ましくは、スクロール命令またはスライド命令のためのスライディング移動、ズーム命令のためのズームインおよびズームアウト移動等、タッチスクリーンによって入力される、操作命令もまた適用され、命令は、好ましくは、マルチタッチ命令によって生成される。ユーザは、これによって、比較的に豊富な入力選択肢が提供される。
【００１３】
命令は、より好ましくは、制御デバイスを移動させることによって生成され、これらの移動は、制御デバイス内に配設される、移動検出器または重力検出器によって検出することができる。例えば、ここでは、例えば、制御デバイスを右に回転させることによって、レベルをメニュー構造内の右に移動させる、または、代替として、制御デバイスを左に回転させることによって、レベルをメニュー構造内の左に移動させることが可能である。また、例えば、制御デバイスを振動させることによって、ユーザによって選択されるアクション効果を実装することが可能となる。
【００１４】
命令は、より好ましくは、テキスト入力、発話入力、および／または画像入力を備える。これによって、簡単に、より大量のテキスト情報を入力可能となる。周知の遠隔制御では、テキストは、通常、４方向カーソルキーによって、文字を連続的に選択することによって、入力される。先行技術によると、これは、非常に時間がかかるが、本好ましい実施形態の側面によって、効果的に取り除かれる。
【００１５】
中央サーバまたはローカルレンダリングデバイスに関連する、ユーザのさらなるセキュリティおよび識別を提供するために、さらなる実施形態は、中央サーバおよび／またはローカルレンダリングデバイスを手動で対合するステップを提供する。
【００１６】
これは、より好ましくは、中央サーバおよび／またはローカルレンダリングデバイスが、制御デバイス内のその入力のために、コードをスクリーンに送信するステップと、コードの入力を検証することができることに基づいて、制御デバイスから、情報を受信するステップと、によって、行われる。
【００１７】
対合目的のために、データを入力するさらなる方法は、テキスト入力、ジェスチャ、動き、発話、および／または画像入力によって、実行することができる。
【００１８】
本発明によるさらなる側面は、前述の請求項のうちの１つ以上に従って、方法に適用するために好適なハンドヘルドデバイス等、ネットワークに接続されたデバイス等の制御デバイスであって、
−操作命令を生成する目的のために、操作ソフトウェアを実行するためのコンピュータデバイスを形成するように手動で接続される、中央処理ユニットと、少なくとも１つのメモリと、好ましくは、タッチスクリーンおよび／または動きセンサと、
−画像ディスプレイおよび／またはユーザインターフェースを操作する目的のために、制御デバイスによる操作命令の生成のための操作ソフトウェアと、
−ネットワーク接続を介して、制御デバイスから、中央サーバに、および／またはローカルレンダリングデバイスから、中央サーバおよび／またはローカルレンダリングデバイスに、ネットワークによって、操作命令を転送するための伝送手段と、
を備える、デバイスに関する。利点は、前述に参照され、以下に詳細に説明される、中央サーバおよび／またはローカルレンダリングデバイスとともに、そのような制御デバイスによって、得ることができる。
【００１９】
本発明によるさらなる側面は、クライアントデバイスに接続可能なスクリーン上に、少なくとも１つのサーバから、セッションを表示するための複数のクライアントデバイスの少なくとも１つのクライアントデバイスに、いくつかの並行ユーザセッションをストリーミングするための中央サーバであって、セッションは、ビデオデータおよびオーディオデータ等の随意の付加的データを備え、中央サーバは、ネットワーク接続から命令を受信するための受信手段を備え、中央サーバは、テキスト入力、ジェスチャ、動き、発話、および／または画像入力を備える、命令を処理するための処理手段を備える、サーバに関する。
【００２０】
本発明によるさらなる側面は、スクリーン上に、ユーザセッションおよび／またはビデオ情報を表示するためのビデオレコーダ、コンピュータ、メディアプレーヤ等のローカルレンダリングデバイスであって、メディアプレーヤは、ネットワーク接続から命令を受信するための受信手段を備え、中央サーバは、テキスト入力、ジェスチャ、動き、発話、および／または画像入力を備える、命令を処理するための処理手段を備える、デバイスに関する。
【００２１】
本発明によるさらなる側面は、クライアントデバイスに接続可能なスクリーン上に、セッションを表示するために、少なくとも１つのサーバから、複数のクライアントデバイスの少なくとも１つのクライアントデバイスに、いくつかの並行ユーザセッションをストリーミングするためのシステムであって、セッションは、ビデオデータおよびオーディオデータ等の随意の付加的データを備え、中央サーバは、ネットワーク接続によって、複数の制御デバイスから、個別のクライアント上に、ディスプレイに関連する命令を受信するための受信手段を備え、中央サーバは、テキスト入力、ジェスチャ、動き、発話、および／または画像入力を備える、命令を処理するための処理手段を備える、デバイスに関する。
【００２２】
本発明によるさらなる側面は、前述の請求項のうちの１つ以上による方法を実行するため、および／または前述の請求項のうちの１つ以上に従って、中央サーバ、ローカルレンダリングデバイス、制御デバイス、および／またはシステムにおいて使用するためのコンピュータソフトウェアに関する。
【００２３】
本発明によるそのような側面は、前述および以下に詳細に説明される、個別の利点を提供する。
【００２４】
本発明のさらなる利点、特徴、および詳細は、付随の図を参照して、１つ以上の好ましい実施形態に基づいて、以下により詳細に説明される。
【図面の簡単な説明】
【００２５】
【図１】図１は、本発明による、好ましい実施形態の略図を示す。
【図２】図２は、先行技術の表現（Ｂ）と、本発明による好ましい実施形態に従う表現（Ａ）を示す。
【発明を実施するための形態】
【００２６】
本発明による、第１の好ましい実施形態（図１）は、モバイルコンピュータ１００に関する。これは、例えば、携帯電話に類似する。モバイルコンピュータ１００は、好ましくは、タッチセンサ式である、スクリーン４１を備える。モバイルコンピュータはまた、底面側に配設される、４つの制御ボタン４２を備える。ナビゲーションのためのタッチセンサ式表面４３は、制御ボタン４２間に位置する。また、底面側に位置するのは、音声等の音を記録するためのマイクロホン４４である。音を再生するためのラウドスピーカ４６は、上面側に位置する。ラウドスピーカ４６に隣接して位置するのは、画像を記録するためのカメラである。画像を記録するためのカメラ（図示せず）もまた、同様に、背面側に位置する。画像はさらに、セットトップボックス３またはレンダリングデバイス３を介して、テレビ２０に伝送される。
【００２７】
ここまでに開示されたのは、携帯電話またはＰＤＡ等のそれ自体が周知のモバイルコンピュータである。本発明による、本モバイルコンピュータは、本発明の目的のために、入力を検出し、ネットワーク接続によって、そのような入力を伝送するためのソフトウェアアプリケーションが提供される。ソフトウェアアプリケーションは、本目的のために、モバイルコンピュータのネットワークアクセス手段に接続するための接続手段が提供される。アクセスは、これによって、例えば、インターネット１９に接続される、または別個の無線ネットワークである、無線ネットワークに対して得られる。代替として、固定ネットワークもまた、当然ながら、可能である。また、代替として、無線ネットワークが、モバイルネットワークオペレータによって起動されるモバイルネットワークであることも可能である。
【００２８】
ネットワーク接続を介して、モバイルデバイスは、サーバ１０１またはローカルレンダリングデバイス３のいずれかと連絡をとる。サーバ１０１は、同様に、図２の構成要素５、４、１０２、１０３の略図であり得る。図２Ｂは、引用された文書第’９１６号の図９と同一図である。図２Ａは、修正として、モバイルコンピュータ１００によって実行される遠隔制御の復路レイアウトを示す。復路は、インターネット１９（図１に示されるように）を介して、直接、モバイルコンピュータからサーバ１０２に通じる。ここでは、セットトップボックス３の標準的遠隔制御の併用（図示せず）もまた、行うことができる。しかしながら、これは、また、オフに切り替えることもできる。
【００２９】
モバイルコンピュータ１００が、サーバ１０２（図１のサーバ１０１の一部を形成する）に伝送する、制御情報は、本発明に従って、テキスト入力、ジェスチャ、動き、発話、および／または画像入力に関する入力選択肢で充実される。
【００３０】
ボタンを伴う標準的遠隔制御によって可能ではないであろう、複数の加速された動作選択肢が、これによって、可能となる。例えば、ジェスチャおよび動きによって、移動の速度を示すことが可能となる。ユーザは、これによって、動作が行われる速度、または、例えば、単一移動を行っている間、スクロールされる情報の量について、動的に判定することができる。また、例えば、タッチスクリーン上で円形を描写することによって、または、例えば、スクリーン上で２本の指先を回転させることによって、画像を回転させることが可能となる。さらなる実施例は、スクリーンを動作させる、指先の数が、同時に、どの機能がアクティブ化されるかを判定するものである。
【００３１】
モバイルデバイスからサーバ１への命令の伝送のために、ＨＴＴＰ等の一般的インターネット技術が使用される。モバイルコンピュータ上のアプリケーションは、タッチスクリーン上のタッチをスクリーン２０上に表示されるユーザインターフェースに重要であるパラメータに変換する。スクリーン上でスライディング移動を行うために、”ｓｗｉｐｅ＝ｔｒｕｅ”パラメータが使用され、移動の速度のために、パラメータ”ｖｅｌｏｃｉｔｙ＝Ｖ”が使用され、Ｖは、速度の値である。さらなるパラメータは、ズームのための挟持、回転のための回転移動、およびテキスト入力のためのテキスト等、同様に提供される。使用される実施例は、以下の通りである。
【００３２】
命令は、サーバに到達し、識別を提供し、命令を提供するためのＵＲＬの形態をとる。ユーザからサーバへの上矢印命令を伝送するための命令は、以下の通りである。
ｈｔｔｐ：／／ｓｅｓｓｉｏｎｍａｎａｇｅｒ／ｋｅｙ？ｃｌｉｅｎｔｉｄ＝ａｖｐｌａｙ＆ｋｅｙ＝ｕｐ。
【００３３】
モバイルコンピュータのタッチスクリーン上での上方スライディング移動によって、類似動作を行うための命令は、以下の通りである。
ｈｔｔｐ：／／ｓｅｓｓｉｏｎｍａｎａｇｅｒ／ｋｅｙ？ｃｌｉｅｎｔｉｄ＝ａｖｐｌａｙ＆ｋｅｙ＝ｕｐ＆ｓｗｉｐｅ＝ｔｒｕｅ＆ｖｅｌｏｃｉｔｙ＝３．２４（上方移動が、速度３．２４で行われる必要があることを示す。）これは、所望の速度が、同様に、ユーザインターフェースによって表示されることを達成する。
【００３４】
反復使用を通して、ユーザは、どの速度が、どの実践的効果をもたらすかを習得することができる。代替として、ユーザは、個々の好ましい設定を設定することが可能である。
【００３５】
画像の一部をサイズ縮小するために、ズームアウトするための命令は、以下の通りである。
ｈｔｔｐ：／／ｓｅｓｓｉｏｎｍａｎａｇｅｒ／ｅｖｅｎｔ？ｃｌｉｅｎｔｉｄ＝ａｖｐｌａｙ＆ｅｖｅｎｔ＝ｏｎｓｃａｌｅ＆ｓｃａｌｅ＝２．１１（これは、挟持移動が、係数２．１１によって、画像上で行われ、選択された画像の一部が、サイズ縮小されることを達成する。反対に、そのような機能を使用して、ズームインすることも可能である。
【００３６】
ユーザが、ユーザインターフェースにテキストを入力することを所望する場合、以下の機能を使用することができる。
ｈｔｔｐ：／／ｓｅｓｓｉｏｎｍａｎａｇｅｒ／ｅｖｅｎｔ？ｃｌｉｅｎｔｉｄ＝ａｖｐｌａｙ＆ｅｖｅｎｔ＝ｏｎｓｔｒｉｎｇ＆ｔｅｘｔ＝ｂｌａｄｉｂｌａ（テキスト値”ｂｌａｄｉｂｌａ”が、ユーザインターフェース内で使用され、例えば、写真またはビデオ断片に名称を与える。テキスト入力が可能となるため、また、本発明に従って、例えば、そのようなシステムによって、チャットアプリケーションを使用することが可能である。
【００３７】
モバイルデバイスを遠隔サーバまたはローカルレンダリングデバイスと対合することは、サーバが、スクリーン上にコードを表示するという点において、実行することができ、本コードは、例えば、テキスト入力によって、モバイルコンピュータに入力される。コードが、真正と認識されると、ユーザは、モバイルコンピュータを使用して、権利を有するセッションを操作することができる。代替として、例えば、スクリーン上に、モバイルコンピュータのカメラのうちの１つによって記録される、コードを示すことによって、対合可能である。コードは、次いで、モバイルコンピュータのユーザの認証をもたらすために、遠隔サーバおよび／またはローカルレンダリングデバイスへの申し入れによって、転送することができる。対合は、命令はまた、例えば、ビデオオンデマンドまたはゲーム等の他の有料サービスを購入する目的のために、適用することができるように、付加的セキュリティを提供するさらなる利点を有する。
再び、本発明は、第’９１６号に従って、システムにおける適用の目的のために、具体的に変更されたことに留意されたい。当業者は、本書の本開示に照らして、かつ２つの文書の個々の側面と組み合わせて、本開示を明確に解釈することが可能であろう。図２Ｂは、例えば、第’９１６号の図９のコピーとして含まれる。さらに、本先行文書の開示の一部は、同様に、本書の開示の一部を形成するために、本書内に組み込まれると見なされる。本包括的かつ詳細な参照の目的は、テキスト記述を保存するためである。第’９１６号の全図もまた、個々に、かつ本新しい文書の開示のすべての個々の側面と組み合わせて、本書に含まれると見なされる。
【００３８】
本発明は、いくつかの好ましい実施形態に基づいて、前述において説明された。異なる実施形態の異なる側面は、相互に組み合わせて説明されると見なされ、当業者によって、本書の熟読に基づいて、発明の範囲内にあると見なされ得る、全組み合わせが、含まれる。これらの好ましい実施形態は、本書の保護の範囲の限定ではない。求められる権利は、添付の請求項に定義される。
【図１】
2013526232.tif 000003
【図２Ａ】
2013526232.tif 000004
【図２Ｂ】
2013526232.tif 000005
【国際調査報告】
2013526232.tif 000006
2013526232.tif 000007
2013526232.tif 000008